【手続補正書】
【提出日】平成23年3月10日(2011.3.10)
【手続補正１】
【補正対象書類名】明細書
【補正対象項目名】００１２
【補正方法】変更
【補正の内容】
【００１２】
図１は、おむつ１０の着用状態を示す斜視図である。図２は、おむつ１０をシーム部２２において前後に剥離し、縦方向Ｘと横方向Ｙとに伸展したときの展開平面図、図３は、図２のＩＩＩ−ＩＩＩ線断面図である。図４は、図２において吸収性シャーシ１２を除去した状態を示す図である。
【手続補正２】
【補正対象書類名】明細書
【補正対象項目名】００１４
【補正方法】変更
【補正の内容】
【００１４】
弾性ウエストパネル１１は、前ウエスト域１３を形成する矩形の前ウエストパネル１６と、後ウエスト域１４とクロッチ域１５の一部とを形成するほぼ台形状の後ウエストパネル１７とから構成されている。前ウエストパネル１６と後ウエストパネル１７の両側縁（前後ウエスト域の両側縁）１９，２０は、互いに重ね合わせられて、縦方向Ｘへ間欠的に並ぶシーム部２２において公知の接合手段、たとえば、熱エンボス加工、ソニックなどによる各種の熱溶着手段で接合されることによって連結され、ウエスト開口２３と一対のレッグ開口２４とが画成されている。
【手続補正３】
【補正対象書類名】明細書
【補正対象項目名】００１６
【補正方法】変更
【補正の内容】
【００１６】
具体的には、第１伸縮域２５には、ウエスト開口縁部２３ａに沿って延びる複数条の第１ウエスト弾性要素３０が配置されており、第２伸縮域２６には、吸収性シャーシ１２を横方向Ｙへ延びる複数条の第２ウエスト弾性要素３１が配置されており、第３伸縮域２７には、前後ウエスト域１３，１４の両側部１３ａ，１４ａにおいて横方向Ｙへ延びる複数条の第３ウエスト弾性要素３２が配置されている。これらウエスト弾性要素３０，３１，３２の収縮により、おむつ１０の表面には多数のギャザー３３が形成されている（図１参照）。なお、第１及び第２非伸縮域２８Ａ，２８Ｂのうちの少なくとも第１非伸縮域２８Ａのみが形成されていればよい。また、後ウエストパネル１７のクロッチ域１５の一部を構成する部位には、第２非伸縮域２８Ｂの両側において横方向Ｙへ離間する一対の第４伸縮域３４が形成されており、第４伸縮域３４には、横方向Ｙへ延びる複数条の第４ウエスト弾性要素３５が配置されている。
【手続補正４】
【補正対象書類名】明細書
【補正対象項目名】００１７
【補正方法】変更
【補正の内容】
【００１７】
図２及び図３に示すとおり、前後ウエストパネル１６，１７は、肌当接面側に位置する内層シート４０と、非肌当接面側に位置する外層シート４１とから形成されている。外層シート４１は、縦方向Ｘにおいて、内層シート４０の前後端縁４０ａ，４０ｂからそれぞれ延出する延出部４３を有しており、延出部４３は、前ウエストパネル１６と後ウエストパネル１７の内側に吸収性シャーシ１２が配置された後に、おむつの肌当接面側へ折り返され、両側部１３ａ，１４ａに接合されている。このように、外層シート４１の延出部４３が内層シート４０の前後端縁４０ａ，４０ｂを覆っているので、前後端縁４０ａ，４０ｂから外部へ排泄物が漏出することを抑制することができる。
【手続補正５】
【補正対象書類名】明細書
【補正対象項目名】００２２
【補正方法】変更
【補正の内容】
【００２２】
吸収性シャーシ１２は、また、ホットメルト接着剤の塗布領域５６を介して吸液性構造体４５の下面に固定された第１シート部材５８と、第１シート部材５８の吸液性構造体４５の横方向Ｙ外側へ延出する部位（延出部）５８ａが内側へ折り返され、互いに重なり合う各部がホットメルト接着剤６０を介して接合されることで形成された一対のスリーブ状の外側サイドフラップ６１を含む。各外側サイドフラップ６１は、各内側サイドフラップ５４の外側縁を被覆している。各内側サイドフラップ５４の外側縁が各外側サイドフラップ６１に被覆されていることによって、通常、シートの切断縁となっている各内側サイドフラップ５４の外側縁が、着用者の肌に接触して刺激することがなく、痒みやかぶれを未然に防止できる。
【手続補正６】
【補正対象書類名】明細書
【補正対象項目名】００２７
【補正方法】変更
【補正の内容】
【００２７】
吸収性パネル５０では、フラッフパルプと、高吸収性ポリマー（ＳＡＰ）と、必要に応じて熱溶着性ステープル繊維との混合などからなる吸収性コア４８がティッシュペーパ等の液拡散性シート４９で被覆されている。このように、吸収性コア４８全体が液拡散性シート４９で被包されているため、型崩れ及びＳＡＰの脱落を防止することができる。吸収性コア４８は、保形性及び吸液拡散性の改善のため、いわば砂時計の輪郭形状に圧縮されており、おむつ１０を構成するシート部材に比較して剛性が高く、半剛性と称されることがある。
【手続補正７】
【補正対象書類名】明細書
【補正対象項目名】００２９
【補正方法】変更
【補正の内容】
【００２９】
図５に示すとおり、前ウエスト域１３の第２伸縮域２６には、吸収性シャーシ１２の前端フラップ６２を横方向Ｙへ横断する第２ウエスト弾性要素３１が配置されている。このように、第２ウエスト弾性要素３１が吸収性シャーシ１２の前端フラップ６２を横断しているので、前ウエストパネル１６の一部に段差が生じることを防止することができる。
【手続補正８】
【補正対象書類名】明細書
【補正対象項目名】００３８
【補正方法】変更
【補正の内容】
【００３８】
まず、おむつ１０のシーム部２２を剥がして図２に示すような展開状態とし、各ウエスト弾性要素３０，３１，３２を伸長させ、そのときの各伸縮域２５，２６，２７の横方向Ｙの長さを最大伸長時の長さとする。次に、おむつ１０から前ウエストパネル１６全体を切り出して、切り出した前ウエストパネル１６から各伸縮域２５，２６，２７を切り取ってサンプルとし、各サンプルの領域幅（おむつ１０の縦方向Ｙの寸法）を測定する。各伸縮域２５，２６，２７を切断する際には、隣接する各ウエスト弾性要素３０，３１，３２どうしの間に位置する領域の縦方向Ｘ中央部にて切断する。サンプルを引っ張り試験機（島津製作所製）のチャック間（初期のチャック間距離は１００ｍｍとし、サンプルに合わせ適宜調整する）に収縮した状態で固定して、引張速度１００ｍｍ／ｍｉｎの条件で、サンプルをおむつ１０の横方向Ｙと同じ方向に伸長させ、最大伸長時の６５％の長さにおける荷重（ｍＮ）を測定し、測定値（ｍＮ）÷領域幅（ｍｍ）の式により、各伸縮域２５，２６，２７の伸長応力を算出した。
【手続補正９】
【補正対象書類名】明細書
【補正対象項目名】００４２
【補正方法】変更
【補正の内容】
【００４２】
ただし、各伸縮域２５，２６，２７が所望の伸長応力を有する限りにおいては、第１ウエスト弾性要素３０と第２ウエスト弾性要素３１が異なる断面積及び伸長倍率を有する弾性要素から構成されていてもよいし、ウエスト弾性要素３０，３１，３２が全て同一の部材から構成されていてもよい。また、図示例では、前ウエスト域１３において、第１ウエスト弾性要素３０が４本、第２ウエスト弾性要素３１が５本、第３ウエスト弾性要素３２が７本であるが、各伸縮域２５，２６，２７の要する伸長応力に応じて、その本数、並列する各ウエスト弾性要素３０，３１，３２間の離間距離（ピッチ）は、適宜変更することができる。例えば、第２伸縮域２６が第１伸縮域２５よりも大きい伸長応力を要する場合に、第１及び第２ウエスト弾性要素３０，３１を同一部材から構成したときには、図示されているように、第１ウエスト弾性要素３０間のピッチよりも、第２ウエスト弾性要素３１間のピッチの方が、当然に、より小さく設定されることになる。
【手続補正１０】
【補正対象書類名】図面
【補正対象項目名】図１
【補正方法】変更
【補正の内容】
【図１】
2009240694.tif 000001